(57)【要約】  マシンツーマシン（M2M）機器のためのページングサイクルを制御する手法が説明される。装置が、プロセッサ回路と、プロセッサ回路による実行に対して、機器とワイヤレス接続を確立するように構成された接続管理部コンポーネントと、プロセッサ回路による実行に対して、複数のページングクラスの中から機器のためのページングクラスを選択するように構成されたページングコンポーネントであり、各ページングクラスは異なるページングサイクル及びページングクラスパラメータに関連付けられ、複数のページングクラスの少なくとも１つが、M2MページングサイクルとM2Mページングクラスパラメータとに関連付けられたM2Mページングクラスを含む、ページングコンポーネントと、を含む。他の実施形態が、説明され、クレームされる。
2015516723.tif 000002
【特許請求の範囲】
【請求項１】
コンピュータが実施する方法であって、
マシンツーマシン（M2M）機器とワイヤレス接続を確立するステップと、
複数のページングクラスの中から前記M2M機器のためのページングクラスを選択するステップであり、各ページングクラスは異なるページングサイクル及びページングクラスパラメータに関連付けられ、前記複数のページングクラスの少なくとも１つが、M2MページングサイクルとM2Mページングクラスパラメータとに関連付けられたM2Mページングクラスを含む、ステップと、
前記M2M機器を前記M2Mページングクラスに割り当てるステップと、
を含む、コンピュータが実施する方法。
【請求項２】
前記M2Mページングクラスパラメータを前記M2M機器に送信するステップであり、前記M2Mページングクラスパラメータは前記M2Mページングサイクルを示す、ステップ、を含む請求項１に記載のコンピュータが実施する方法。
【請求項３】
前記M2Mページングクラスパラメータを前記M2M機器にダウンリンク（DL）制御メッセージの中で送信するステップであり、前記M2Mページングクラスパラメータは前記M2Mページングサイクルを示す、ステップ、を含む請求項１に記載のコンピュータが実施する方法。
【請求項４】
前記M2Mページングクラスパラメータを前記M2M機器に媒体アクセス制御（MAC）メッセージの中で送信するステップ、を含む請求項１に記載のコンピュータが実施する方法。
【請求項５】
前記M2M機器から受信された機器情報から、機器が前記M2M機器であると判定するステップ、を含む請求項１に記載のコンピュータが実施する方法。
【請求項６】
ページングメッセージを前記M2M機器に前記M2Mページングサイクルの間隔において送信するステップ、を含む請求項１に記載のコンピュータが実施する方法。
【請求項７】
コンピューティング機器上で実行されたことに応答して請求項１乃至６のうちいずれか１項に記載の方法を前記コンピューティング機器に実行させる複数の命令を含む少なくとも１つのマシン読取可能媒体。
【請求項８】
プロセッサ回路と、
前記プロセッサ回路による実行に対して、機器とワイヤレス接続を確立するように構成された接続管理部コンポーネントと、
前記プロセッサ回路による実行に対して、複数のページングクラスの中から前記機器のためのページングクラスを選択するように構成されたページングコンポーネントであり、各ページングクラスは異なるページングサイクル及びページングクラスパラメータに関連付けられ、前記複数のページングクラスの少なくとも１つが、M2MページングサイクルとM2Mページングクラスパラメータとに関連付けられたM2Mページングクラスを含む、ページングコンポーネントと、
を含む装置。
【請求項９】
前記ページングコンポーネントは、前記機器がM2M機器であることを示すM2M指示子を受信し、前記M2M機器を前記M2Mページングクラスに割り当てるように構成される、請求項８に記載の装置。
【請求項１０】
前記ページングコンポーネントは、前記M2Mページングクラスパラメータを前記M2M機器に制御メッセージの中で送信するように構成される、請求項８に記載の装置。
【請求項１１】
前記ページングコンポーネントは、前記M2Mページングクラスパラメータを、前記M2M機器を含む複数のM2M機器に、制御チャネルの中でブロードキャストするように構成される、請求項８に記載の装置。
【請求項１２】
前記ページングコンポーネントは、ページングメッセージを前記M2M機器に前記M2Mページングサイクルの間隔において送信するように構成される、請求項８に記載の装置。
【請求項１３】
前記プロセッサ回路に結合された無線周波数（RF）トランシーバ、を含み、前記RFトランシーバは制御メッセージ及びページングメッセージの電磁的表現を送信するように構成される、請求項８に記載の装置。
【請求項１４】
機器がマシンツーマシン（M2M）機器であると判定する手段と、
複数のページングクラスの中から前記M2M機器のためのページングクラスを選択する手段であり、各ページングクラスは異なるページングサイクル及びページングクラスパラメータに関連付けられ、前記複数のページングクラスの少なくとも１つが、M2MページングサイクルとM2Mページングクラスパラメータとに関連付けられたM2Mページングクラスを含む、手段と、
前記M2M機器を前記M2Mページングクラスに割り当てる手段と、
を含む装置。
【請求項１５】
前記M2Mページングクラスパラメータを前記M2M機器に制御メッセージの中で送信する手段、を含む請求項１４に記載の装置。
【請求項１６】
前記M2Mページングクラスパラメータを前記M2M機器にダウンリンク（DL）制御チャネルの中でブロードキャストする手段、を含む請求項１４に記載の装置。
【請求項１７】
ページングメッセージを前記M2M機器に前記M2Mページングサイクルの利用可能間隔において送信する手段、を含む請求項１４に記載の装置。
【請求項１８】
コンピュータが実施する方法であって、
複数のM2Mページングサイクルの指標を受信するステップと、
前記M2Mページングサイクルのうち１つを選択するステップと、
前記の選択されたM2Mページングサイクルについての利用可能間隔を識別するステップと、
前記の選択されたM2Mページングサイクルの前記利用可能間隔の間、基地局からのページングメッセージをスキャンするステップと、
を含む、コンピュータが実施する方法。
【請求項１９】
ダウンリンク（DL）制御チャネルを通じて受信された信号に基づいて、複数のページングサイクルを検出するステップ、を含む請求項１８に記載のコンピュータが実施する方法。
【請求項２０】
識別子に基づいて複数のページングサイクルを検出するステップ、を含む請求項１８に記載のコンピュータが実施する方法。
【請求項２１】
定義されたページングサイクルのリストから、前記複数のM2Mページングサイクルのうち１つを選択するステップ、を含む請求項１８に記載のコンピュータが実施する方法。
【請求項２２】
前記M2M機器がM2Mページングクラスパラメータを受信するステップと、
前記M2Mページングクラスパラメータに基づいて前記M2Mページングサイクルを選択するステップと、
を含む請求項１８に記載のコンピュータが実施する方法。
【請求項２３】
前記M2Mページングサイクルの前記利用可能間隔の間、前記ページングメッセージを受信するステップ、を含む請求項１８に記載のコンピュータが実施する方法。
【請求項２４】
前記M2Mページングサイクルについての利用不能間隔を識別するステップ、を含む請求項１８に記載のコンピュータが実施する方法。
【請求項２５】
前記M2Mページングサイクルについての利用不能間隔の間、より低い電力モードに入るように、制御指示を生成するステップ、を含む請求項１８に記載のコンピュータが実施する方法。
【請求項２６】
前記M2Mページングサイクルについての前記利用可能間隔の間、より低い電力モードから出るように、制御指示を生成するステップ、を含む請求項１８に記載のコンピュータが実施する方法。
【請求項２７】
コンピューティング機器上で実行されたことに応答して請求項１８乃至２６のうちいずれか１項に記載の方法を前記コンピューティング機器に実行させる複数の命令を含む少なくとも１つのマシン読取可能媒体。
【請求項２８】
プロセッサ回路と、
前記プロセッサ回路による実行に対して、基地局とワイヤレス接続を確立するように構成された接続管理部コンポーネントと、
前記プロセッサ回路による実行に対して、前記ワイヤレス接続を通じてM2Mページングクラスパラメータを受信するように構成されたページングコンポーネントであり、前記M2MページングクラスパラメータはM2Mページングサイクルを示す、ページングコンポーネントと、
を含む装置。
【請求項２９】
前記ページングコンポーネントは、前記M2Mページングサイクルについての利用可能間隔を識別し、前記M2Mページングサイクルの前記利用可能間隔の間、基地局からのページングメッセージをスキャンするように構成される、請求項２８に記載の装置。
【請求項３０】
前記ページングコンポーネントは、前記M2Mページングクラスパラメータを制御メッセージの中で受信するように構成される、請求項２８に記載の装置。
【請求項３１】
前記ページングコンポーネントは、前記M2M機器のためのページングメッセージを、前記M2Mページングサイクルの利用可能間隔において受信するように構成される、請求項２８に記載の装置。
【請求項３２】
前記プロセッサ回路に結合された無線周波数（RF）トランシーバ、を含み、前記RFトランシーバは制御メッセージ及びページングメッセージの電磁的表現を受信するように構成される、請求項２８に記載の装置。
【発明の詳細な説明】
【技術分野】
【０００１】
本発明は、概して、ワイヤレスネットワークの改良に関する。より具体的には、本発明は、ワイヤレスネットワーク内のM2M機器のページング及び電力管理の改良に関する。
【背景技術】
【０００２】
「物のインターネット」がヒューマンインタラクション無しに情報を交換することを可能にする動的な技術として、マシンツーマシン（M2M）通信が登場している。パーキングメータ、監視カメラ、ユーティリティメータ及び他の非ヒューマンインタフェースアプリケーションとして使用される種類の機器を含むM2M機器の数がモバイルブロードバンドネットワークにおいて急激に増加することを、最近の傾向が予測している。
【発明の概要】
【発明が解決しようとする課題】
【０００３】
M2Mシステムの基本的な設計目標は、極めて低い電力消費である。極めて低い電力消費は、M2M機器が長期間にわたって極めて低い動作電力を消費することを意味する。このM2Mの特徴は、電源へのアクセスをほとんど若しくはまったく有さないM2M機器、ヒューマンインタラクションが不定期に起きるM2M機器、又は多数のセンサに起因して充電コストが高いM2M機器などの、バッテリが限られたM2M機器に対して特に重要である。しかしながら、多くのワイヤレスネットワークは、もっぱらヒューマンインタフェースコミュニケーションに基づいて電力消費を低減することに焦点を当てている。上記及び他の検討に関して、本改良が必要とされている。
【課題を解決するための手段】
【０００４】
実施形態は、各ページングクラスが異なるページングサイクル又はページングサイクルの部分を有するところにおいて、種々のワイヤレス機器を種々のページングクラスに割り当てることによって、上記及び他の課題を解決することを試みる。具体的に、M2M機器は、低減された電力消費に対して最適化されたページングサイクル（又は、ページングサイクルの部分）を有するM2Mページングクラスに割り当てられることができ、一方、非M2M機器は、低減されたトラフィックレイテンシに対して最適化されたページングサイクル（又は、ページングサイクルの部分）を有する非M2Mページングクラスに割り当てられることができる。実施形態は、新しいページングクラスパラメータを定義及び利用して所与の種類のワイヤレス機器に対する特定のページングクラスを示すことができる。この方法において、ブロードバンドワイヤレスアクセスネットワークは、種々の種類の機器を効率良く使用可能にすることができる。
【図面の簡単な説明】
【０００５】
【図１】装置の一実施形態を示す。
【図２】第１のロジックフローの一実施形態を示す。
【図３】第２のロジックフローの一実施形態を示す。
【図４】第３のロジックフローの一実施形態を示す。
【図５】第４のロジックフローの一実施形態を示す。
【図６Ａ】装置のためのパケットの一実施形態を示す。
【図６Ｂ】装置のためのパケットの一実施形態を示す。
【図７】記憶媒体の一実施形態を示す。
【図８】機器の一実施形態を示す。
【図９】通信システムの一実施形態を示す。
【発明を実施するための形態】
【０００６】
実施形態は、概して、ワイヤレスネットワークの改良に向けられる。より具体的には、実施形態は、ワイヤレスネットワーク内のM2M機器のページング及び電力管理の改良に向けられる。M2M機器は、M2M通信を提供する能力のある任意のデバイスである。M2M通信は、いかなるヒューマンインタラクションも無しに実行されることができる、基地局などのネットワークアクセス機器を通じたユーザ機器の間の、又は基地局を通じたコアネットワーク内の機器とサーバとの間の情報交換である。
【０００７】
ワイヤレスモバイルブロードバンド技術には、１又は複数の第3世代（3G）又は第4世代（4G）のワイヤレス標準、改訂、後代及び変形などの、M2M機器での使用に適した任意のワイヤレス技術を含むことができる。ワイヤレスモバイルブロードバンド技術の例には、米国電気電子学会（IEEE）802.16m及び802.16p標準、第３世代パートナーシッププロジェクト（3GPP）ロングタームエボリューション（LTE）及びLTEアドバンスト（LTE  ADV）標準、並びにInternational  Mobile  Telecommunications  Advanced（IMT-ADV）のうち任意のものを、これらの改訂、後代及び変形を含め、限定無しに含むことができる。他の適切な例には、Global  System  for  Mobile  Communications（GSM）/Enhanced  Data  Rates  for  GSM  Evolution（EDGE）技術、Universal  Mobile  Telecommunications  System（UMTS）/High  Speed  Packet  Access（HSPA）技術、Worldwide  Interoperability  for  Microwave  Access（WiMAX）又はWiMAX  II技術、符号分割多元接続（CDMA）2000システム技術（例えば、CDMA2000  1xRTT、CDMA2000  EV-DO、CDMA  EV-DVなど）、欧州電気通信標準化機構（ETSI）Broadband  Radio  Access  Networks（BRAN）により定められているHigh  Performance  Radio  Metropolitan  Area  Network（HIPERMAN）技術、Wireless  Broadband（WiBro）技術、General  Packet  Radio  Service（GPRS）を用いたGSM（GSM/GPRS）技術、High  Speed  Downlink  Packet  Access（HSPDA）技術、High  Speed  Orthogonal  Frequency-Division  Multiplexing（OFDM）Packet  Access（HSOPA）技術、High-Speed  Uplink  Packet  Access（HSUPA）システム技術、LTE/System  Architecture  Evolution（SAE）の3GPPリリース8及び9などを、限定無しに含むことができる。実施形態は、この文脈に限定されない。
【０００８】
限定ではなく例として、種々の実施形態が、種々の3GPP  LTE及びLTE  ADV標準と、IEEE802.16標準と、3GPP  LTE仕様書及びIEEE802.16標準の任意のドラフト、改訂又は変形とを具体的に参照して説明され得る。種々の3GPP  LTE及びLTE  ADV標準には、3GPP  LTE進化型UMTS地上波無線アクセスネットワーク（E-UTRAN）、ユニバーサル地上波無線アクセス（E-UTRA）及びLTE  ADV無線技術の技術仕様書の36シリーズ（集合的に、「3GPP  LTE仕様書」）などがあり、IEEE802.16標準には、IEEE802.16-2009標準、及び802.16-2009や802.16h-2010や802.16m-2011を集約している「802.16Rev3」と呼ばれるIEEE802.16の最新の第3版、並びに2012年1月の“Draft  Amendment  to  IEEE  Standard  for  WirelessMAN-Advanced  Air  Interface  for  Broadband  Wireless  Access  Systems，Enhancements  to  Support  Machine-to-Machine  Applications”（“IEEE802.16p”）と題されたIEEE  P802.16.1b/D2を含むIEEE802.16pドラフト標準、又は他のIEEE802.16標準（集合的に、「IEEE802.16標準」）などがある。いくつかの実施形態が、限定ではなく例として、3GPP  LTE仕様又はIEEE802.16標準のシステムとして説明されることがあるが、他の種類の通信システムを、種々の他の種類のモバイルブロードバンド通信システム及び標準として実施することができることを認識されたい。実施形態は、この文脈に限定されない。
【０００９】
ワイヤレスネットワークにおいて、アイドルモード（又は、スリープモード）が、ネットワーク内のワイヤレス機器による電力消費を低減するように設計される。アイドルモードである間、ワイヤレス機器は、利用可能間隔（availability  interval；AI）と利用不能間隔（unavailability  interval；UAI）との間を行き来することができる。利用不能間隔の間、ワイヤレス機器は、その無線インタフェースの出力を下げることができ、このことが、機器の電力消費を有意に低減する。一方、利用可能間隔の間（ページングリスニング間隔又はDRXと呼ばれることもある）、ワイヤレス機器は、ワイヤレスネットワークと通信してデータ又は管理トラフィックを送受信するために、その無線インタフェースに電力を加える必要がある。このようにして、ワイヤレス機器は、アイドルモードにある間、利用可能間隔の間にトラフィックを送受信することができる。
【００１０】
IEEE802.16又は3GPP  LTEシステムなどの最近のブロードバンドワイヤレスアクセスシステムは、ヒューマンインタフェース通信に通常最適化されたページングサイクルを利用する。音声通信などのヒューマンインタフェース通信において、１つの重要な設計検討事項がトラフィックレイテンシである。例えば、音声トラフィックなどのリアルタイムのトラフィックは、一定のサービス品質（QoS）要件に合うように、より低いレイテンシを必要とすることがある。したがって、音声トラフィックのタイムリーな到着を確保するために、より長い利用可能間隔を有するページングサイクルが必要とされる場合がある。しかしながら、利用可能間隔の長さを増やし、逆に、利用不能間隔の長さを減らすことは、ワイヤレス機器がその無線インタフェースにより長い時間電力を提供する必要があることを意味する。このことは、平均電力消費をより多くする。
【００１１】
M2M機器は、通常はヒューマンインタフェース通信向けに設計されず、したがって、非M2M機器ほどトラフィックレイテンシを気にしない。むしろ、M2M機器についてのより差し迫った設計検討事項は、極めて低い電力消費である。極めて低い電力消費は、ページングサイクルに関して、利用不能間隔の長さを延ばすことによって達成されることができる。このことが、M2M機器がより長い時間その無線インタフェースの出力を下げることを可能にするからである。
【００１２】
したがって、音声トラフィックだけに最適化されたページングサイクルを利用するワイヤレスネットワークはM2M機器に適さず、逆もまた同様である。このように、単一のページングサイクルを提供してワイヤレス機器の両種類のニーズに応えることは困難である。
【００１３】
実施形態は、各ページングクラスが異なるページングサイクル又はページングサイクルの部分を有するところにおいて、種々のワイヤレス機器を種々のページングクラスに割り当てることによって、上記及び他の課題を解決することを試みる。具体的に、M2M機器は、低減された電力消費に対して最適化されたページングサイクル（又は、ページングサイクルの部分）を有するM2Mページングクラスに割り当てられることができ、一方、非M2M機器は、低減されたトラフィックレイテンシに対して最適化されたページングサイクル（又は、ページングサイクルの部分）を有する非M2Mページングクラスに割り当てられることができる。実施形態は、新しいページングクラスパラメータを定義及び利用して所与の種類のワイヤレス機器に対する特定のページングクラスを示すことができる。この方法において、ブロードバンドワイヤレスアクセスネットワークは、種々の種類の機器を効率良く使用可能にすることができる。
【００１４】
次に、図面を参照する。図面において、全体にわたって、同様の参照番号を使用して同様の要素を示す。下記説明において、解釈を目的として、多数の具体的な詳細がその完全な理解を提供するために明記されている。しかしながら、新規の実施形態がこれらの具体的な詳細無しに実施され得ることが明らかであり得る。他の例として、周知の構造及び機器がその記載を容易にするためにブロック図形式で示されている。本説明は、クレームされる主題と調和するすべての変更、均等物及び変形をカバーするものである。
【００１５】
図１は、装置１００のブロック図を示す。図１に示される装置１００は或る一定のトポロジの中に限られた数の要素を有するが、装置１００は、所与の実装に対して所望されるとおりに代替のトポロジの中により多くの又はより少ない要素を含むことができることを認識されたい。
【００１６】
装置１００は、１又は複数のソフトウェアコンポーネント１２２−ａを実行するように構成されたプロセッサ回路１２０を有する、コンピュータが実施する（computer-implemented）装置１００を含むことができる。本明細書に使用される「ａ」と「ｂ」と「ｃ」と同様の指定子とは、任意の正の整数を表す変数であることが意図されることに留意されたい。したがって、例えば、一実装がａ＝５の値を設定する場合、ソフトウェアコンポーネント１２２‐ａの全体セットには、１２２−１、１２２−２、１２２−３、１２２−４及び１２２−５を含むことができる。実施形態は、この文脈に限定されない。
【００１７】
種々の実施形態において、装置１００は、ワイヤレス機能又は装備へのアクセスを有する任意の電子機器において実施されることができる。例えば、装置１００は、ワイヤレスシステムのためのシステム装備、ユーザ装備又はコアネットワークにおいて実施されることができる。
【００１８】
１つの実施形態において、装置１００は、１又は複数の3GPP  LTE仕様又はIEEE802.16標準に準拠する通信システム又はネットワークのためのシステム装備において実施されることができる。例えば、装置１００は、ワイヤレスメトロポリタンエリアネットワーク（WMAN）若しくはLTEネットワークのための基地局若しくはeNodeBの一部又は他のネットワーク機器の一部として実施されることができる。いくつかの実施形態が基地局又はeNodeBを参照して説明されるが、実施形態は通信システム又はネットワークに関して任意のネットワーク装備を利用することができる。実施形態は、この文脈に限定されない。
【００１９】
１つの実施形態において、装置１００は、１又は複数の3GPP  LTE仕様又はIEEE802.16標準に準拠する通信機器などの、通信システム又はネットワークに対するユーザ装備（UE）において実施されることができる。例えば、装置１００は、１又は複数のIEEE802.16標準に準拠するM2M機器の一部として実施されることができる。いくつかの実施形態がM2M機器を参照して説明されるが、実施形態は通信システム又はネットワークに関して任意のユーザ装備を利用することができる。実施形態は、この文脈に限定されない。
【００２０】
装置１００は、プロセッサ回路１２０を含むことができる。プロセッサ回路１２０は、概して、１又は複数のソフトウェアコンポーネント１２２−ａを実行するように構成されることができる。プロセシング回路１２０は、種々の市販の利用可能なプロセッサのうち任意のものとすることができ、AMD（登録商標）  Athlon（登録商標）、Duron（登録商標）及びOpteron（登録商標）プロセッサ；ARM（登録商標）アプリケーション組み込み型セキュアプロセッサ；IBM（登録商標）及びMotorola（登録商標）  DragonBall（登録商標）及びPowerPC（登録商標）プロセッサ；IBM及びSony（登録商標）セルプロセッサ；Intel（登録商標）  Celeron（登録商標）、Core(2)Duo（登録商標）、Core  i3、Core  i5、Core  i7、Itanium（登録商標）、Pentium（登録商標）、Xeon（登録商標）及びXScale（登録商標）プロセッサ；及び同様のプロセッサを限定無しに含むことができる。さらに、デュアルマルチコアプロセッサ、マルチコアプロセッサ及び他のマルチコアプロセッサアーキテクチャを、プロセシングユニット１２０として採用することができる。
【００２１】
装置１００は、接続管理部コンポーネント１２２−１を含むことができる。接続管理部コンポーネント１２２−１は、概して、装置１００に関するワイヤレス接続を管理するように構成されることができる。これには、ワイヤレス接続のセットアップと切断（tear-down）とを含む。例えば、接続管理部コンポーネント１２２−１が、機器と、基地局又はeNodeBなどのネットワークアクセスポイントとの間の、ワイヤレス接続を確立することができる。接続管理部コンポーネント１２２−１はさらに、機器から登録要求１０２を受信して、ワイヤレス接続を用いてワイヤレスネットワークに機器を登録することができる。接続管理部コンポーネント１２２−１はさらに、登録解除要求１０６を受信して、ワイヤレス接続を用いてワイヤレスネットワークから機器の登録を解除することができる。例えば、いったんネットワークに登録されると、機器は、制御トラフィック及びデータトラフィックをネットワークから周期的に受信する能力を保ちながら、登録を解除してアイドルモードに入ることができる。
【００２２】
装置１００は、機器識別部コンポーネント１２２−２を含むことができる。１つの実施形態において、機器識別部コンポーネント１２２−２は、プロセッサ回路１２０による実行のために構成されて、概して、機器がM2M機器であるか又は非M2M機器であるかを判定することができる。これは、明示的な及び暗黙的な識別手法を含む、多数の種々の方法で達成されることができる。いったん機器がM2M機器と識別されると、機器識別部コンポーネント１２２−２は、ページングコンポーネント１２２−３に対してM2M指示子（indicator）を出力することができる。
【００２３】
例として、機器が、機器種類を用いて構成される範囲において、機器は、機器自体がM2M機器であるか又は非M2M機器であるかを情報交換の中でネットワークに明示的に知らせることができる。同様にして、ネットワークは、既知のM2M機器及び機器識別子のリストを維持し、あるいは読み出すことができ、このネットワークは、機器がM2M機器であることをその機器識別子に基づいて識別することができる。リストには、例えば、M2M機器と、このM2M機器との以前の通信セッションにおいて機器識別部コンポーネント１２２−２が以前に特定した関連する機器識別子とを、含むことができる。
【００２４】
利用可能である明示的な情報が無い場合、機器又はネットワークは、様々なファクタに基づいて機器種類を暗黙的に特定することができる。１つの手法が、機器が固定的な機器であるか又はモバイル機器であるかを判定することを含み得る。固定的な機器は、その位置が時間と共に変化しないワイヤレス機器である。大部分のM2M機器は固定的な機器であるため、固定的な機器というしるし（indicia）を使用して、機器をM2M機器に分類することができる。しかしながら、M2M機器にはモバイル機器を同様に含むことができ、したがって機器が固定的な機器であるという判定だけではすべての目的に対して不十分となり得ることを認識されたい。こうした場合、M2Mの特徴のさらなる確認のしるしを求めることができる。
【００２５】
モバイルとは対照的な固定的な機器を識別するために使用することができる複数のメカニズムが存在する。固定的な機器を識別するための１つの手法が、機器位置情報によるものである。機器位置が時間と共に変化しない場合、これは、その機器が固定的な機器であることを示す。機器位置は、いくつかの例を挙げると、全地球測位システム、屋内測位、全地球的航法衛星システム（GNSS）、及びセル方式の三角測量から導出されることができる。機器位置が複数回チェックされ、十分に長い時間にわたってなお同じである場合、機器は、固定的な機器であるものと識別されることができる。ブロードバンドワイヤレスアクセスネットワーク又はM2Mサーバは、機器から測位情報を取得して、機器が固定的な機器であるかを判定することができる。M2M機器を識別するための別の方法は、機器機能に基づくものである。機器機能が、機器が固定的な機器であることを示すものである場合、この通知が、グローバルブロードバンドネットワーク又はM2Mサーバに提供されることができる。例えば、パーキングメータである機器は、固定的な機器であることが既知である。反対に、セルラー方式の電話は、機器が固定されていないことを示すことになる機能であろう。別の例として、機器が、搭載された加速度計を有する場合、加速度計からの出力を識別して機器が固定的な機器として使用されていると判定することができる。さらに別の例は、受信した信号強度又は受信したパワーレベルを使用することである。受信した信号強度又は受信したパワーレベルが所与の時間にわたって閾値を超えて変化しない場合、この機器は、固定されていると分類されることができる。機器が移動するかどうかを判定するために監視されることができる他のアクティビティには、いくつかの例を挙げると、マニュアル入力と周期的対非周期的アクティビティとなどの、アクティビティを判定することを含む。さらに別の可能性として、M2M機器が、自身が固定的な機器であることを知っており、ゆえにネットワークに通知することがある。
【００２６】
暗黙的なM2M識別のための別の手法には、M2Mの特徴の比較を含むことができる。M2Mの特徴は、M2Mの適用に特有の性質である。１又は複数のM2Mの特徴が、M2Mの適用をサポートするために必要とされてよい。ネットワーク又は機器は、M2Mの特徴のリストを維持することができ、機器のM2Mの特徴をM2Mの特徴のリストと比較することができる。定義された数の合致（例えば、１又は複数）がある場合、機器は、M2M機器に分類されることができる。他のM2M識別手法を同様に使用することができ、実施形態は、この文脈に限定されない。
【００２７】
装置１００は、ページングコンポーネント１２２−３を含むことができる。１つの実施形態において、ページングコンポーネント１２２−３は、プロセッサ回路１２０による実行のために構成されて、概して、通信機器又は通信システムのページングオペレーションを管理することができる。この機器又はシステムの例は、それぞれ、図８、図９を参照して説明される。あらゆるモバイルブロードバンドシステムは、なんらかのブロードキャストメカニズムを有して複数の機器に情報を配信する。ページングは、通信機器と無線アクセスネットワークのためのアクセス機器との間でチャネルをセットアップするために使用されるブロードキャストサービスである。
【００２８】
種々の実施形態において、ページングオペレーションは、通信機器がM2M機器であるか又は非M2M機器であるかに基づいて区別されることができる。この方法において、ページングオペレーションは、種々の種類の機器に対してカスタマイズされることができ、これにより、機器リソース及びシステムリソースをより効率良く使用することができる。１つのこうした効率性は、M2M機器が、長時間にわたって、より低い電力モードにとどまることを可能にしていることである。例えば、M2M機器が一定期間非アクティブであった後、このM2M機器は、より低い電力状態に移行してバッテリパワーを節約し、無線リソースの割り振りを解除する。これは、アイドルモードと呼ばれることがある。アイドルモードの間、M2M機器は、ページングリスニング期間（例えば、利用可能期間）として知られる短い間隔の間に周期的に起動してページングメッセージをリッスンし、それから、予め取り決められたサイクルにおいて再び利用不能になる。M2M機器がアイドルモードにとどまることができるのが長くなるほど、M2M機器は、より多くの電力節約を実現することができる。
【００２９】
１つの実施形態において、ページングコンポーネント１２２−３は、機器がM2M機器であるのか又は非M2M機器であるのかに関して、機器識別部コンポーネント１２２−２からM2M指標を受信することができる。別法として、ページングコンポーネント１２２−３が、この判定を実行することができる。
【００３０】
ページングコンポーネント１２２−３は、機器識別部コンポーネント１２２−２から受信されたM2M指標に基づいて、複数のページングクラス１２４−ｂの中から機器のためのページングクラスを選択することができる。各ページンググラス１２４−ｂは、対応するページングサイクル１２６−ｃとページングクラスパラメータ１２８−ｄとに関連付けられることができる。
【００３１】
ページングクラス１２４−ｂには、同様の種類の機器のためのグルーピング、クラス又はカテゴリを含むことができる。１つの実施形態において、複数のページングクラス１２４−ｂのうち少なくとも１つを非M2M機器のために予約することができ、複数のページングクラス１２４−ｂのうち少なくとも１つをM2M機器のために予約することができる。例えば、ネットワークは、非M2M機器のためにページングクラス１２４−１を、さらにM2M機器のためにページングクラス１２４−２を予約することができる。複数のM2Mページングクラスを含め、より多くのページングクラス１２４−ｂを所与のネットワークに対して必要とされるとおりに定義することができることを認識されたい。実施形態は、この文脈に限定されない。
【００３２】
前述の例におけるページングクラス１２４−２などの、M2M機器のために予約されたページングクラス１２４−ｂを、本明細書において「M2Mページングクラス」と呼ぶことがある。同様にして、M2Mページングクラスについての対応するページングサイクル１２６−ｃとページングサイクルパラメータ１２８−ｄとを、それぞれ、本明細書において「M2Mページングサイクル」及び「M2Mページングクラスパラメータ」と呼ぶことがある。例えば、M2Mページングクラス１２４−２は、対応するM2Mページングサイクル１２６−２とページングサイクルパラメータ１２８−２とを有することができる。
【００３３】
各ページングクラス１２４−ｂは、そのページングクラス１２４−ｂの範囲内の機器の種類に適した関連するページングサイクル１２６−ｃを有することができる。１つの実施形態において、或るページングクラス１２４−ｂのためのページングサイクル１２６−ｃは、別のページングクラス１２４−ｂのためのページングサイクル１２６−ｃと比べて異なる長さを有することができる。前述の例を続けると、ページングクラス１２４−１のためのページングサイクル１２６−１は、第１の定義された時間間隔を有することができ、一方、M2Mページングクラス１２４−２のためのM2Mページングサイクル１２６−２は、第１の定義された時間間隔とは異なる第２の定義された時間間隔を有することができる。１つの実施形態において、第１の時間間隔は、第２の時間間隔より短くすることができる。１つの実施形態において、第１の時間間隔は、第２の時間間隔より長くすることができる。別法として、いくつかのページングクラス１２４−ｂが、所与の実装に対して所望されるとおりに、同じ時間間隔のページングサイクル１２６−ｃを有することができる。
【００３４】
別法として、各ページングクラス１２４−ｂは、そのページングクラス１２４−ｂの範囲内の機器の種類に適した関連するページングサイクル１２６−ｃの部分を有することができる。１つの実施形態において、或るページングクラス１２４−ｂのためのページングサイクル１２６−ｃの第１の部分は、別のページングクラス１２４−ｂのためのページングサイクル１２６−ｃの第２の部分と比べて異なる長さを有することができる。前述の例を続けると、ページングクラス１２４−１のためのページングサイクル１２６−１の第１の部分は、第１の定義された時間間隔を有することができ、一方、M2Mページングクラス１２４−２のための同じページングサイクル１２６−１の第２の部分が、第１の定義された時間間隔とは異なる第２の定義された時間間隔を有することができる。１つの実施形態において、第１の時間間隔は、第２の時間間隔より短くすることができる。１つの実施形態において、第１の時間間隔は、第２の時間間隔より長くすることができる。別法として、いくつかのページングクラス１２４−ｂが、所与の実装に対して所望されるとおりに、同じ時間間隔のページングサイクル１２６−ｃの部分を有することができる。
【００３５】
音声能力を有する加入者局又はモバイル局などの非M2M機器が、ページングクラス１２４−１に割り当てられると仮定する。さらに、パーキングメータ又はユーティリティメータなどのM2M機器が、ページングクラス１２４−２に割り当てられると仮定する。ページングクラス１２４−１に関連付けられたページングサイクル１２６−１は、M2Mページングクラス１２４−２に関連付けられたM2Mページングサイクル１２６−２より短い時間間隔用に設定されることができる。例えば、ページングサイクル１２６−１が、ミリ秒又は秒単位で測定される利用不能間隔を有することができ、一方、M2Mページングサイクル１２６−２が、分、日、週、月又はさらに長い時間間隔で測定される利用不能間隔を有することができ、そして、利用可能間隔については逆になる。M2Mページングクラス１２４−２のためのより長い利用不能間隔（又は、より短い利用可能間隔）は、M2Mページングクラス１２４−２に割り当てられたM2M機器が、より長い時間の間、アイドルモード又はスリープモードなどの低電力モードに入ってとどまることを可能にすることができる。
【００３６】
各ページングサイクル１２６−ｃは、所与の実装に適した任意の所望される長さに定義することができる。日、週、月、年又は何らかの他の時間間隔などの任意の時間粒度を定義することができる。多様な固定的なM2M機器が使用する種々の時間単位を合わせるために、１又は複数の3GPP  LTE仕様及びIEEE802.16標準が、ミリ秒という時間スケールからより長い時間スケールに変更される必要があり得る。
【００３７】
各ページングクラス１２４−ｂは、さらに、関連するページングクラスパラメータ１２８−ｄを有することができる。ページングクラスパラメータ１２８−ｄは、ページングクラス１２４−ｂと、そしてページングクラス１２４−ｂに関連付けられたページングサイクル１２６−ｃとを、一意に識別する。１つの実施形態において、ページングクラスパラメータ１２８−ｄは、メモリユニット（例えば、レジスタ）に記憶された又はメッセージのためのメッセージフィールドにおいて伝達された１又は複数のビットなどの、定義されるページングクラス１２４−ｂに関連付けられる値を含むことができる。
【００３８】
いったん機器識別部コンポーネント１２２−２が機器をM2M機器として識別し、ページングコンポーネント１２２−３がこのM2M機器に対してM2Mページングクラス１２４−２を選択すると、ページングコンポーネント１２２−３は、このM2M機器をM2Mページングクラス１２４−２に割り当てることができる。それから、ページングコンポーネント１２２−３は、ワイヤレストランシーバを介してワイヤレスチャネルを通じてM2M機器にM2Mページングクラスパラメータ１３２を送信することができる。前述の例を踏まえると、M2Mページングクラスパラメータ１３２は、M2Mページングクラス１２４−２とM2Mページングサイクル１２６−２とに関連付けられたM2Mページングクラスパラメータ１２８−２を含むことができる。それから、M2M機器は、M2Mページングクラスパラメータ１３２を使用してページングサイクル１２６−２を識別し、ページングサイクル１２６−２に従って機器オペレーションを調整することができる。上記オペレーションは、交互式の方法で、利用可能間隔の間はRFインタフェースに電力を供給し、利用不能間隔の間はRFインタフェースに電力を供給しない（depowering）などである。
【００３９】
プロセッサ回路１２０により実行されたときの接続管理部コンポーネント１２２−１、機器識別部コンポーネント１２２−２及び／又はページングコンポーネント１２２−３に関するいくつかの例示的なオペレーション及び使用シナリオが、図２〜図５を参照して説明され得る。しかしながら、実施形態はこれらの例に限定されない。
【００４０】
開示されたアーキテクチャの新しい態様を実行するための例示的な方法論を表す一組のロジックフローが本明細書に含まれる。説明の簡素化を目的として、本明細書に示される１又は複数の方法論は一連の動作として図示され説明されるが、これら方法論は動作の順序によって限定されないことを当業者は理解し認識するであろう。上記に従い、いくつかの動作は、本明細書に図示され説明されるものと比べて、異なる順序で及び／又は他の動作と同時に行うことができる。例えば、方法論が別法として状態図などにおいて一連の相互に関連する状態又はイベントとして表され得ることを当業者は理解し認識するであろう。その上、方法論に示されるすべての動作が新しい実装に必要とされ得るわけではない。
【００４１】
ロジックフローは、ソフトウェア、ファームウェア及び／又はハードウェアにおいて実装することができる。ソフトウェア及びファームウェアの実施形態において、ロジックフローは、光学記憶装置、磁気記憶装置又は半導体記憶装置などの非一時的コンピュータ読取可能媒体又はマシン読取可能媒体上に記憶されたコンピュータ実行可能命令によって実装することができる。実施形態は、この文脈に限定されない。
【００４２】
図２は、ロジックフロー２００の一実施形態を示す。ロジックフロー２００は、装置１００などの本明細書に説明される１又は複数の実施形態が実行するオペレーションの一部又はすべてを表すことができる。より具体的には、ロジックフロー２００は、無線アクセスネットワークのための基地局又はeNodeBなどのシステム装備が実施するような装置１００によって実行されることができる。
【００４３】
図２に示される図示の実施形態において、ロジックフロー２００は、ブロック２０２において、機器とのワイヤレス接続を確立することができる。例えば、接続管理部コンポーネント１２２−１が、WMAN又はLTEシステムに対してRFインタフェースを通じて機器とのワイヤレス接続を確立することができる。接続管理部コンポーネント１２２−１は、機器がモバイル機器であるときなどは、機器がワイヤレスネットワークのセルに入るとき、機器とのワイヤレス接続を確立することができる。同様にして、接続管理部コンポーネント１２２−１は、機器がワイヤレスネットワークのセルの範囲内に位置付けられた固定的な機器であるときなどは、機器の電源が入るとき、機器とのワイヤレス接続を確立することができる。それから、接続管理部コンポーネント１２２−１は、機器を認証すること、機器をネットワークに登録すること、機器に機器識別子を割り当てること、機器のための無線リソースを割り振ること及び他の登録手順などの、機器に必要とされる任意の登録オペレーションを実行することができる。接続管理部コンポーネント１２２−２はさらに、ワイヤレス接続を解放して機器に対するいかなる制御又はデータトラフィックもない中で機器がアイドルモードに入ることを可能にするなどの、機器の登録解除オペレーションを実行することができる。
【００４４】
ロジックフロー２００は、ブロック２０４において、機器がマシンツーマシン（M2M）機器であると判定することができる。図１を再び参照すると、機器識別コンポーネント１２２−２は、ワイヤレス接続を介して機器に関する機器情報１０４を受信することができる。機器情報１０４は、機器がM2M機器（例えば、パーキングメータ）であるか又は非M2M機器（例えば、セルラー電話）であるかを判定することに役立つ、機器に関連付けられた任意の記述的情報を含むことができる。機器情報１０４の例には、機器能力情報、機器位置、ある時間にわたる機器位置、機器機能、機器識別子、機器名称、機器コンポーネント、機器センサ情報（例えば、加速度計、高度計、環境温度、触覚など）、機器テレメトリ、機器受信信号強度（RSS）又はRSS指示子（RSSI）、機器パワーレベル、機器マニュアル入力、機器ユーザプロファイル、機器制御情報、機器データなどを限定無しに含むことができる。実施形態は、この文脈に限定されない。
【００４５】
機器識別部コンポーネント１２２−２は、これまでに説明されたような任意の数の手法を用いて、機器情報１０４に基づいて、機器がM2M機器であるかどうかを判定することができる。機器識別部コンポーネント１２２−２は、機器がM2M機器であるという指標をページングコンポーネント１２２−３に対して出力することができる。
【００４６】
ロジックフロー２００は、ブロック２０６において、複数のページングクラスの中からM2M機器のためのページングクラスを選択することができ、各ページングクラスは、異なるページングサイクルとページングクラスパラメータとに関連付けられ、複数のページングクラスのうち少なくとも１つが、M2MページングサイクルとM2Mページングクラスパラメータとに関連付けられたM2Mページングクラスを含むことができる。例えば、ページングコンポーネント１２２−３は、機器がM2M機器と識別されたとき、M2Mページングクラス１２４−２を選択することができる。最終的な選択の前、M2M機器と基地局又はeNodeBとなどの機器と機器との間にネゴシエーションフェーズが存在して、どのページングクラス１２４−ｂが選択されるべきかを正確に判定することができる。例えば、M2M機器は、ページングオペレーションに関する優先などの機器情報１０４を基地局又はeNodeBに送信することができ、逆もまた同様である。
【００４７】
ロジックフロー２００は、ブロック２０８において、M2M機器をM2Mページングクラスに割り当てることができる。例えば、ページングコンポーネント１２２−３は、M2M機器を、ブロック２０６において選択されたM2Mページングクラス１２４−２に割り当てることができる。
【００４８】
ロジックフロー２００は、ブロック２１０において、M2MページングクラスパラメータをM2M機器に送信することができ、このM2Mページングクラスパラメータは、M2Mページングサイクルを示す。例えば、ページングコンポーネント１２２−３は、M2Mページングクラス１２４−２に関連付けられたM2Mページングクラスパラメータ１２８−２をM2Mページングクラスパラメータ１３２としてM2M機器に送信することができる。M2Mページングクラスパラメータ１３２は、M2Mページングサイクル１２６−２がM2M機器によって使用されるべきページングサイクルであると示すことができる。
【００４９】
ロジックフロー２００は、ブロック２１２において、M2Mページングサイクルの中でM2M機器にページングメッセージを送信することができる。いったんページングコンポーネント１２２−３がM2M機器にM2Mページングクラスパラメータ１３２を送信すると、ページングコンポーネント１２２−３は、M2Mページングサイクル１２６−２に従ってM2M機器のためのページングオペレーションを実行することができる。これには、M2M機器に対する制御又はデータトラフィックが存在するとき、M2Mページングサイクル１２６−２の利用可能間隔の間にM2M機器にページングメッセージ１４０を送信することを含むことができる。
【００５０】
図３は、ロジックフロー３００の一実施形態を示す。ロジックフロー３００は、例えば、装置１００のページングコンポーネント１２２−３などの本明細書に説明される１又は複数の実施形態が実行するオペレーションの一部又はすべてを表すことができる。より具体的には、ロジックフロー３００は、ページングコンポーネント１２２−３により実施されて、M2Mクラスパラメータ１３２を有する制御メッセージ１３０を１又は複数のM2M機器に送信することができる。制御メッセージ１３０は、ダウンリンク（DL）制御チャネルにおいて、装置１００又は装置１００を実施している機器（例えば、基地局又はeNodeB）から１又は複数のM2M機器に送信されることができる。DL制御チャネルは、専用制御チャネル又はブロードキャスト制御チャネルとすることができる。実施形態は、この文脈に限定されない。
【００５１】
図３に示される図示の実施形態において、ロジックフロー３００は、ブロック３０２において、M2M機器にM2Mページングクラスパラメータを送信することができ、このM2Mページングクラスパラメータは、M2Mページングサイクルの中の利用可能間隔の長さを示す。例えば、M2M機器は、ルックアップテーブル（LUT）において、ページングクラスパラメータ１２８−ｄと、対応するページングサイクル１２６−ｃと、ページングサイクル１２６−ｃについての利用可能間隔及び／又は利用不能間隔に関連付けられた長さとの表を維持することができる。この場合、M2Mページングクラスパラメータ１３２は、M2Mページングクラス１２４−２を表す値を含むことができ、この値をLUTに対するインデクスとして使用してM2Mページングサイクル１２６−２についての利用可能間隔の長さを見つけることができる。別法として、M2Mページングクラスパラメータ１３２は、既知の利用不能間隔及び／又はM2Mページングサイクル１２６−２に対して利用可能間隔の長さを実際に表す値とすることができる。
【００５２】
ロジックフロー３００は、ブロック３０４において、M2M機器にM2Mページングクラスパラメータを送信することができ、このM2Mページングクラスパラメータは、M2Mページングサイクルの中の利用不能間隔の長さを示す。ブロック３０２を参照してこれまでに説明されたような利用可能間隔と同様に、M2M機器は、ルックアップテーブル（LUT）において、ページングクラスパラメータ１２８−ｄと、対応するページングサイクル１２６−ｃと、ページングサイクル１２６−ｃについての利用可能間隔及び／又は利用不能間隔に関連付けられた長さとの表を維持することができる。この場合、M2Mページングクラスパラメータ１３２は、M2Mページングクラス１２４−２を表す値を含むことができ、この値をLUTに対するインデクスとして使用してM2Mページングサイクル１２６−２についての利用不能間隔の長さを見つけることができる。別法として、M2Mページングクラスパラメータ１３２は、既知の利用可能間隔及び／又はM2Mページングサイクル１２６−２に対して利用不能間隔の長さを実際に表す値とすることができる。
【００５３】
ロジックフロー３００は、ブロック３０６において、制御メッセージの中でM2M機器にM2Mページングクラスパラメータを送信することができる。図１を再び参照すると、ページングコンポーネント１２２−３は、M2Mページングクラスパラメータ１３２を有する制御メッセージ１３０をM2M機器に送信することができる。制御メッセージ１３０は、IEEE802.16標準又は3GPP  LTE仕様のうち１又は複数などの任意の知られている通信プロトコル、標準又は仕様により定義されるような制御メッセージとすることができる。例えば、制御メッセージ１３０には、他の中でも、IEEE802.16pのための制御メッセージを含むことができる。制御メッセージは、例えば、複数のユーザ装備に対して、この複数のユーザ装備がアクセス可能な制御チャネル上でブロードキャストされることができる。
【００５４】
ロジックフロー３００は、ブロック３０８において、媒体アクセス制御（MAC）メッセージの中でM2M機器にM2Mページングクラスパラメータを送信することができる。より具体的には、制御メッセージ１３０は、IEEE802.16標準又は3GPP  LTE仕様のうち１又は複数などの任意の知られている通信プロトコル、標準又は仕様により定義されるようなMAC制御メッセージを含むことができる。例えば、制御メッセージ１３０には、他の中でも、IEEE802.16pのためのMAC制御メッセージを含むことができる。
【００５５】
ロジックフロー３００は、ブロック３１０において、進化型エアインタフェース登録解除応答（advanced  air  interface  deregistration  response；AAI-DREG-RSP）メッセージの中でM2M機器にM2Mページングクラスパラメータを送信することができ、このAAI-DREG-RSPメッセージは、少なくとも１つのページングオフセットフィールドを備えたメッセージフォーマットを有することができる。例えば、IEEE802.16pは、種々の種類のMAC制御メッセージを定義しており、その１つがAAI-DREG-RSPメッセージと呼ばれている。AAI-DREG-RSPメッセージは、M2M機器からの登録解除要求に応答して、ダウンリンク（DL）チャネルにおいて基地局がM2M機器に送信するMAC制御メッセージである。M2M機器は、例えばアイドルモードに入るために、登録解除要求を送信することができる。ページングコンポーネント１２２−３は、AAI-DREG-RSPのための既知の又は新しい種類のフィールドにおいて、M2M機器にM2Mページングクラスパラメータ１３２を送信することができる。
【００５６】
ロジックフロー３００は、ブロック３１２において、進化型エアインタフェース登録解除応答（AAI-DREG-RSP）メッセージの中でM2M機器にM2Mページングクラスパラメータを送信することができ、このAAI-DREG-RSPメッセージは、第１のページングオフセットフィールドと第２のページングオフセットフィールドとを備えたメッセージフォーマットを有することができる。例えば、IEEE802.16pは、図６の表６００に示すように、AAI-DREG-RSPメッセージのための２つのページングオフセットフィールドを明示的に定義している。第１のページングオフセットフィールドは、AMSのためのページングオフセット値を示すために使用される。第１のページングオフセットは、ページングサイクル１２６−２の中の、ページングリスニング間隔（例えば、利用可能間隔）が始まるところのスーパーフレームを特定する。IEEE802.16pによると、第１のページングオフセット値は、ページングサイクル値より小さくするべきである。第２のページングオフセットフィールドは、M2M機器に対する追加のページングオフセットを示すために使用される。
【００５７】
ロジックフロー３００は、ブロック３１４において、進化型エアインタフェース登録解除応答（AAI-DREG-RSP）メッセージの中でM2M機器にM2Mページングクラスパラメータを送信することができ、このAAI-DREG-RSPメッセージは、各々が12ビットのサイズを有する第１のページングオフセットフィールドと第２のページングオフセットフィールドとを備えたメッセージフォーマットを有することができる。これまでに説明されたとおり、IEEE802.16pは、２つのページングオフセットフィールドを定義する。IEEE802.16pによると、第１のページングオフセットフィールド（又は値）は、12ビットを含むことができ、第２のページングオフセットフィールド（又は値）もまた12ビットを含むことができる。第１及び第２のページングオフセットフィールドが異なるビット数を使用して12ビット以外のページングオフセット値（例えば、M2Mページングクラスパラメータ１３２）を表すことができることを認識されたい。さらに、第１及び第２のページングオフセットフィールドは互いに対して異なるビット数を各々使用してよいことを認識されたい。実施形態は、この文脈に限定されない。
【００５８】
図４は、ロジックフロー４００の一実施形態を示す。ロジックフロー４００は、例えば、装置１００などの本明細書に説明される１又は複数の実施形態が実行するオペレーションの一部又はすべてを表すことができる。より具体的には、ロジックフロー４００は、M2M機器などの、ブロードバンドワイヤレスアクセスシステムのためのユーザ装備が実施するような装置１００によって実行されることができる。
【００５９】
装置１００を実施するM2M機器は、図２、図３を参照して説明されたオペレーションと同一の又は異なるオペレーションを実行できることに留意されたい。例えば、装置１００を実施するM2M機器は、図２、図３を参照して説明されたようなサーバ側オペレーションに応答してクライアント側オペレーションを実施することができる。クライアント側オペレーションの例には、機器情報１０４を送信すること、制御メッセージ１３０を受信すること、ページングメッセージ１４０を受信すること、及び図４、図５を参照して説明される他のオペレーションを含むことができる。
【００６０】
さらに、M2M機器は、機器識別部コンポーネント１２２−１がワイヤレスネットワークのためのシステム装備により実施されるかどうかに依存して、装置１００の機器識別部コンポーネント１２２−１を場合により含み、あるいは省略できることに留意されたい。基地局などのシステム装備が機器識別部コンポーネント１２２−１を実施するところのこうした場合、M2M機器もまた機器識別部コンポーネント１２２−１を含んで、接続された機器、周辺装置、電源供給などの、システム装備が容易にアクセスできないM2Mの特徴の追加的なしるしを提供することができる。
【００６１】
図４に示される図示の実施形態において、ロジックフロー４００は、ブロック４０２において、複数のM2Mページングサイクルの指標を受信することができる。例えば、M2M機器により実施される装置１００のページングコンポーネント１２２−３は、制御信号又はページング信号などの基地局又はeNodeBから受信される信号に基づいて、複数のページングサイクルを検出することができる。別の例において、ページングコンポーネント１２２−３は、基地局識別子に基づいて、複数のページングサイクルを検出することができる。ページングコンポーネント１２２−３は、１又は複数の定義されたページングサイクルに各々関連付けられた基地局識別子のリストを維持することができる。ページングコンポーネント１２２−３は、基地局識別子を使用して、基地局に関連付けられた１又は複数の定義されたページングサイクルを基地局識別子のリストから読み出すことができる。他の指示子及び検出メカニズムが使用されてよく、実施形態はこの文脈に限定されない。
【００６２】
ロジックフロー４００は、ブロック４０４において、M2Mページングサイクルのうち１つを選択することができる。例えば、ページングコンポーネント１２２−３は、定義されたページングサイクルのリストから、複数のM2Mページングサイクルのうち１つを選択することができる。定義されたページングサイクルは、これまでに説明されたように、基地局識別子のリストから導出されることができる。定義されたページングサイクルは、さらに、別個の、定義されたページングサイクルのリストとすることもできる。１つの実施形態において、定義されたページングサイクルのリストは、M2M機器に適した設計パラメータによって優先度付けされることができる。例えば、定義されたページングサイクルのリストは、ページングサイクルの長さに基づいて順序付けされることができる。定義されたページングサイクルのリストは、M2M機器の開発者、製造業者又はオペレータなどのユーザの好みに基づいて順序付けされることができる。定義されたページングサイクルのリストは、M2M機器の１又は複数のM2Mの特徴に基づいて順序付けされることができる。定義されたページングサイクルのリストは、M2M機器の電力要件に基づいて順序付けされることができる。他の順序付け手法が所与の実装に適するように使用されてよく、実施形態はこの文脈に限定されない。
【００６３】
ロジックフロー４００は、ブロック４０６において、選択されたM2Mページングサイクルについての利用可能間隔を識別することができる。例えば、M2M機器のページングコンポーネント１２２−３は、M2Mページングクラスパラメータ１３２を基地局又はeNodeBから受信することができ、図３を参照してこれまでに説明された手法のうち１つを利用してM2Mページングサイクル１２６−２の利用可能間隔を識別することができる。
【００６４】
ロジックフロー４００は、ブロック４０８において、選択されたM2Mページングサイクルの利用可能間隔の間、基地局からのページングメッセージをスキャンすることができる。例えば、M2M機器のページングコンポーネント１２２−３は、M2Mページングサイクル１２６−２に基づいて、このM2M機器のためのページングオペレーションを設定することができ、RFインタフェースに電力を加えて、M2Mページングサイクル１２６−２についての利用可能間隔の前又は間、基地局又はeNodeBからのページングメッセージ１４０をスキャンするオペレーションを開始することができる。
【００６５】
ロジックフロー４００は、ブロック４１０において、選択されたM2Mページングサイクルの利用可能間隔の間、基地局からページングメッセージを受信することができる。例えば、M2M機器のページングコンポーネント１２２−３は、M2Mページングサイクル１２６−２の利用可能間隔の間、基地局又はeNodeBからページングメッセージ１４０を受信して、ワイヤレスネットワークと通信してデータ又は管理トラフィックを送受信することができる。
【００６６】
図５は、ロジックフロー５００の一実施形態を示す。ロジックフロー５００は、例えば、装置１００のページングコンポーネント１２２−３などの本明細書に説明される１又は複数の実施形態が実行するオペレーションの一部又はすべてを表すことができる。より具体的には、ロジックフロー５００はページングコンポーネント１２２−３により実施されて、１又は複数のM2M機器がM2Mクラスパラメータ１３２を備えた制御メッセージ１３０を受信することができる。
【００６７】
ロジックフロー４００を参照してこれまでに説明されたとおり、M2M機器は、ブロック４０４において、複数のページングサイクルの種々の指標を受信することができる。１つの実施形態において、ページングコンポーネント１２２−３は、基地局又はeNodeBから、M2M機器においてM2Mページングクラスパラメータ１３２を受信することができ、受信されたページングクラスパラメータに基づいてM2Mページングサイクルを選択することができる。例えば、M2M機器により実施される装置１００のページングコンポーネント１２２−３は、基地局又はeNodeBからM2Mページングクラスパラメータ１３２を受信することができ、図３を参照してこれまでに説明された手法のうち１つを利用してM2Mページングサイクル１２６−２を識別することができる。
【００６８】
図５に示される図示の実施形態において、ロジックフロー５００は、ブロック５０２において、媒体アクセス制御（MAC）メッセージの中でM2Mページングクラスパラメータを受信することができる。例えば、M2M機器のページングコンポーネント１２２−３は、制御メッセージ１３０の中でM2Mページングクラスパラメータ１３２を受信することができ、この制御メッセージ１３０には、IEEE802.16標準又は3GPP  LTE仕様などの任意の知られている通信プロトコル、標準又は仕様により定義されるようなMAC制御メッセージを含むことができる。例えば、制御メッセージ１３０には、他の中でも、IEEE802.16pのためのMAC制御メッセージを含むことができる。
【００６９】
ロジックフロー５００は、ブロック５０４において、進化型エアインタフェース登録解除応答（advanced  air  interface  deregistration  response；AAI-DREG-RSP）メッセージの中でM2Mページングクラスパラメータを受信することができ、このAAI-DREG-RSPメッセージは、少なくとも１つのページングオフセットフィールドを備えたメッセージフォーマットを有することができる。例えば、M2M機器のページングコンポーネント１２２−３は、IEEE802.16pにより定義されるように、AAI-DREG-RSPメッセージのM2Mページングクラスパラメータ１３２と関連するページングオフセットフィールドとを受信することができる。
【００７０】
ロジックフロー５００は、ブロック５０６において、進化型エアインタフェース登録解除応答（AAI-DREG-RSP）メッセージの中でM2Mページングクラスパラメータを受信することができ、このAAI-DREG-RSPメッセージは、第１のページングオフセットフィールドと第２のページングオフセットフィールドとを備えたメッセージフォーマットを有することができる。例えば、M2M機器のページングコンポーネント１２２−３は、IEEE802.16pに定義されるようなAAI-DREG-RSPメッセージの第１のページングオフセットフィールド及び／又は第２のページングオフセットフィールドの中でM2Mページングクラスパラメータ１３２を受信することができる。
【００７１】
ロジックフロー５００は、ブロック５０８において、進化型エアインタフェース登録解除応答（AAI-DREG-RSP）メッセージの中でM2Mページングクラスパラメータを受信することができ、このAAI-DREG-RSPメッセージは、各々が12ビットのサイズを有する第１のページングオフセットフィールドと第２のページングオフセットフィールドとを備えたメッセージフォーマットを有することができる。例えば、M2M機器のページングコンポーネント１２２−３は、IEEE802.16pにより定義されるようなAAI-DREG-RSPメッセージの第１のページングオフセットフィールド及び／又は第２のページングオフセットフィールドの中で12ビット値としてM2Mページングクラスパラメータ１３２を受信することができる。
【００７２】
ロジックフロー５００は、ブロック５１０において、M2Mページングサイクルについての利用不能間隔を識別することができる。例えば、M2M機器のページングコンポーネント１２２−３は、基地局又はeNodeBからM2Mページングクラスパラメータ１３２を受信することができ、図３を参照してこれまでに説明された手法のうち１つを利用してM2Mページングサイクル１２６−２の利用不能間隔を識別することができる。
【００７３】
ロジックフロー５００は、ブロック５１２において、M2Mページングサイクルについての利用不能間隔の間、より低い電力モードに入るように、制御指示を生成することができる。例えば、ページングコンポーネント１２２−３は、制御指示を生成し、これをM2M機器の電力制御部に送信して、M2Mページングサイクル１２６−２の利用不能間隔の間、M2M機器をアイドルモードに入らせることができる。
【００７４】
ロジックフロー５００は、ブロック５１４において、M2Mページングサイクルについての利用可能間隔の間、より低い電力モードから出るように、制御指示を生成することができる。例えば、ページングコンポーネント１２２−３は、制御指示を生成し、これをM2M機器の電力制御部に送信して、M2Mページングサイクル１２６−２の利用可能間隔の間、M2M機器をアイドルモードから出させることができる。
【００７５】
図６Ａは、パケット６００の一実施形態を示す。パケット６００は、種々のページングサイクルに対してM2M機器又は非M2M機器を構成するための制御情報を伝達するネットワークに適した一例示的なデジタルデータ伝送又はパケットデータユニット（PDU）を示すことができる。１つの実施形態において、パケット６００は、１又は複数の3GPP  LTE仕様に従って構築された媒体アクセス制御（MAC）PDUとすることができる。１つの実施形態において、パケット６００は、１又は複数のIEEE802.16標準に従って構築されたMAC  PDUとすることができる。他のパケット又はメッセージフォーマットが同様に使用されてよく、実施形態はこれらの例に限定されない。
【００７６】
図６Ａに示される図示の実施形態において、パケット６００は、ヘッダ部分６０２とデータペイロード部分６０４とを含むことができる。ヘッダ部分６０２には、MACシグナリングヘッダタイプについて、種々のタイプフィールドを符号化した状態で含むことができる。タイプフィールドのうち１又は複数を、拡張されたページングオペレーションを目的としてM2M機器又は通信ネットワークを構成するための他の種類の制御情報の中でも、M2Mページングクラスパラメータ１３２などのページングクラスパラメータ１２８−ｄに用いることができる。データペイロード部分６０４は、M2M機器のためのペイロードデータを含むことができる。
【００７７】
図６Ｂは、M2Mページングクラスパラメータ１３２を送るのに適した、IEEE802.16pにより定義されるようなAAI-DREG-RSPメッセージフォーマット６１０を示す表６００を示している。表６００に示されるとおり、AAI-DREG-RSPメッセージフォーマット６１０は、第１のページングオフセットフィールド６２２と第２のページングオフセットフィールド６３２とを含む。
【００７８】
第１のページングオフセットフィールド６２２と第２のページングオフセットフィールド６３２とは、それぞれ、１又は複数のページングクラスパラメータ１２８−ｄを個々に又は集合的に運ぶことができ、１又は複数のページングクラスパラメータ１２８−ｄは、対応するページングクラス１２４−ｂを各々表す。１つの実施形態において、第１のページングオフセットフィールド６２２は、第１のページングサイクルを示すための値に用いることができ、第２のページングオフセットフィールド６３２は、第２のページングサイクルを示すための値に用いることができる。例えば、第１のページングオフセットフィールド６２２をページングクラスパラメータ１２８−１のために用いて、非M2M機器のためのページングサイクル１２６−１を示すことができ、第２のページングオフセットフィールド６３２をページングクラスパラメータ１２８−２（又は、M2Mページングクラスパラメータ１３２）のために用いて、M2M機器のためのページングサイクル１２６−２を示すことができる。別の例において、第１のページングオフセットフィールド６２２をページングクラスパラメータ１２８−２（又は、M2Mページングクラスパラメータ１３２）のために用いて、M2M機器のためのページングサイクル１２６−２を示すことができ、第２のページングオフセットフィールド６３２を非M2Mページングクラスパラメータ１２８−１のために用いて、非M2M機器のためのページングサイクル１２６−１を示すことができる。さらに別の例において、第１のページングオフセットフィールド６２２と第２のページングオフセットフィールド６３２とは、それぞれ、ページングクラスパラメータ１２８−２（又はM2Mページングクラスパラメータ１３２）を個々に又は集合的に運んで、M2M機器のためのページングサイクル１２６−２を示すことができる。また別の例において、第１のページングオフセットフィールド６２２と第２のページングオフセットフィールド６３２とは、それぞれ、非M2Mページングクラスパラメータ１２８−１を個々に又は集合的に運んで、非M2M機器のためのページングサイクル１２６−１を示すことができる。実施形態は、これらの例に限定されない。
【００７９】
１つの実施形態において、第１のページングオフセットフィールド６２２と第２のページングオフセットフィールド６３２とは、それぞれ、同じ数のビットを有する。例えば、第１のページングオフセットフィールド６２２と第２のページングオフセットフィールド６３２とは、12ビットを各々含むことができる。１つの実施形態において、第１のページングオフセットフィールド６２２と第２のページングオフセットフィールド６３２とは、それぞれ、異なる数のビットを有する。例えば、第１のページングオフセットフィールド６２２が12ビットを含むことができ、第２のページングオフセットフィールド６３２が2ビットを含むことができる。第１のページングオフセットフィールド６２２と第２のページングオフセットフィールド６３２とは、所与の実装に対して所望されるとおり、機器、システム又はページングクラスパラメータ１２８−ｄに必要とされる任意のビット数を有することができ、実施形態はこの文脈に限定されない。
【００８０】
１つの実施形態において、第１のページングオフセットフィールド６２２が有するフィールドサイズ６１４は、12ビットである。さらに、第１のページングオフセットフィールド６２２が有する値／説明６１６は、第１のページングオフセットフィールド６２２の中の第１のページングオフセット値がAMSのためのページングオフセットを示すために使用されることを説明している。第１のページングオフセットフィールド６２２の中の第１のページングオフセット値は、ページングサイクル１２６−ｃの中の、ページングリスニング間隔（例えば、利用可能間隔）が始まるところであるスーパーフレームを特定するために使用される。IEEE802.16pによると、第１のページングオフセットフィールド６２２の中の第１のページングオフセット値は、ページングサイクル値より小さくするべきである。
【００８１】
１つの実施形態において、第２のページングオフセットフィールド６３２が有するフィールドサイズ６１４は、12ビットである。さらに、第２のページングオフセットフィールド６３２が有する値／説明６１６は、第２のページングオフセットフィールド６３２の中の第２のページングオフセット値がM2M機器のためのページングサイクル１２６−ｃの中の追加的なページングオフセットを示すために使用されることを説明している。さらに、第２のページングオフセットフィールド６３２が有する条件６１８は、第２のページングオフセット値が所与のAAI-DREG-RSPメッセージのためのオプションであることを示している。
【００８２】
図７は、記憶媒体７００の一実施形態を示す。記憶媒体７００には、製造品を含むことができる。１つの実施形態において、記憶媒体７００は、光学記憶装置、磁気記憶装置又は半導体記憶装置などの、任意の非一時的なコンピュータ読取可能媒体又はマシン読取可能媒体を含むことができる。記憶媒体は、ロジックフロー２００、３００、４００及び／又は５００のうち１又は複数を実施するための命令などの、種々の種類のコンピュータ実行可能命令を記憶することができる。コンピュータ読取可能記憶媒体又はマシン読取可能記憶媒体の例には、揮発性メモリ又は不揮発性メモリ、取外し可能又は取外し不能メモリ、消去可能又は消去不能メモリ、書込み可能又は書換え可能メモリなどの、電子データを記憶する能力がある任意の有形媒体を含むことができる。コンピュータ実行可能命令の例には、ソースコード、コンパイルされたコード、解釈されたコード、実行可能コード、静的コード、動的コード、オブジェクト指向コード、ビジュアルコードなどの任意の適切な種類のコードを含むことができる。実施形態は、この文脈に限定されない。
【００８３】
図８は、ブロードバンドワイヤレスアクセスネットワークにおいて使用するための機器８００の一実施形態を示す。機器８００は、例えば、装置１００、記憶媒体７００及び／又はロジック回路８３０を実装することができる。ロジック回路８３０には、装置１００に関して説明されたオペレーションを実行するための物理的回路を含むことができる。図８に示されるとおり、機器８００は、無線インタフェース８１０、ベースバンド回路８２０及びコンピューティングプラットフォーム８３０を含むことができるが、実施形態はこの構成に限定されない。
【００８４】
機器８００は、全体的に単一の機器内にあるなどの単一のコンピューティングエンティティにおいて、装置１００、記憶媒体７００及び／又はロジック回路８３０のための構造及び／又はオペレーションの一部又はすべてを実施することができる。別法として、機器８００は、クライアントサーバアーキテクチャ、3層アーキテクチャ、N層アーキテクチャ、密結合された又はクラスタ化されたアーキテクチャ、ピアツーピアアーキテクチャ、マスタースレーブアーキテクチャ、共有データベースアーキテクチャ、及び他の種類の分散型システムなどの分散型システムアーキテクチャを用いて、複数のコンピューティングエンティティにわたって、装置１００、記憶媒体７００及び／又はロジック回路８３０のための構造及び／又はオペレーションの部分を分散することができる。実施形態は、この文脈に限定されない。
【００８５】
１つの実施形態において、無線インタフェース８１０には、単一キャリア又はマルチキャリアの変調された信号（例えば、相補型符号変調（complementary  code  keying；CCK）及び／又は直交周波数分割多重（OFDM）シンボルを含む）を送受信するように構成されたコンポーネント又はコンポーネントの組み合わせを含むことができるが、実施形態はいかなる特定の無線インタフェース又は変調スキームにも限定されない。無線インタフェース８１０には、例えば、受信部８１２、送信部８１６及び／又は周波数シンセサイザ８１４を含むことができる。無線インタフェース８１０には、バイアス制御、水晶発振器及び／又は１若しくは複数のアンテナ８１８−ｆを含むことができる。別の実施形態において、無線インタフェース８１０は、所望されるとおり、外部の電圧制御発振器（VCO）、表面弾性波フィルタ、中間周波数（IF）フィルタ及び／又はRFフィルタを使用することができる。潜在的なRFインタフェース設計の多様性に起因して、これらについての拡張的な説明は省略される。
【００８６】
ベースバンド回路８２０は、無線インタフェース８１０と通信して信号を処理、受信及び／又は送信することができ、例えば、受信した信号をダウンコンバートするためのアナログデジタルコンバータ８２２と、送信する信号をアップコンバートするためのデジタルアナログコンバータ８２４とを含むことができる。さらに、ベースバンド回路８２０は、ベースバンド又は物理レイヤ（PHY）処理回路８５６を、それぞれの受信／送信信号のPHYリンクレイヤ処理のため、含むことができる。ベースバンド回路８２０には、例えば、媒体アクセス制御（MAC）／データリンクレイヤ処理のための処理回路８２８を含むことができる。ベースバンド回路８２０は、例えば１又は複数のインタフェース８３４を介して処理回路８２８及び／又はコンピューティングプラットフォーム８３０と通信するメモリコントローラ８３２を含むことができる。
【００８７】
いくつかの実施形態において、PHY処理回路８２６は、バッファメモリなどの追加的な回路と組み合わせてフレーム構築及び／又は検出モジュールを含んで、パケット６００などの通信フレームを構築及び／又は分解することができる。別法として、又は追加的に、MAC処理回路８２８が、これらの機能のうち一定分の処理を共有し、あるいはこれらの処理をPHY処理回路８２６から独立して実行することができる。いくつかの実施形態において、MAC及びPHY処理は、単一の回路に統合されることができる。
【００８８】
コンピューティングプラットフォーム８３０は、機器８００に対してコンピューティング機能性を提供することができる。図示されるとおり、コンピューティングプラットフォーム８３０は、処理コンポーネント８４０を含むことができる。ベースバンド回路８２０に加えて、又はベースバンド回路８２０の別法として、機器８００は、装置１００、記憶媒体７００及びロジック回路８３０のための処理オペレーション又はロジックを処理コンポーネント８４０を用いて実行することができる。処理コンポーネント８４０（及び／又はPHY８２６及び／又はMAC８２８）には、種々のハードウェア要素、ソフトウェア要素又は双方の組み合わせを含むことができる。ハードウェア要素の例には、デバイス、ロジックデバイス、コンポーネント、プロセッサ、マイクロプロセッサ、回路、プロセッサ回路（例えば、プロセッサ回路１２０）、回路素子（例えば、トランジスタ、レジスタ、キャパシタ、インダクタなど）、集積回路、特定用途向け集積回路（ASIC）、プログラマブルロジックデバイス（PLD）、デジタルシグナルプロセッサ（DSP）、フィールドプログラマブルゲートアレイ（FPGA）、メモリユニット、ロジックゲート、レジスタ、半導体デバイス、チップ、マイクロチップ、チップセットなどを含むことができる。ソフトウェア要素の例には、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウェア、ミドルウェア、ファームウェア、ソフトウェアモジュール、ルーチン、サブルーチン、関数、メソッド、プロシージャ、ソフトウェアインタフェース、アプリケーションプログラミングインタフェース（API）、命令セット、コンピューティングコード、コンピュータコード、コードセグメント、コンピュータコードセグメント、単語、値、シンボル又はこれらの任意の組み合わせを含むことができる。一実施形態をハードウェア要素を用いて実施するか及び／又はソフトウェア要素を用いて実施するかという判定は、所与の実装に対して所望されるとおり、所望される計算レート、パワーレベル、耐熱性、処理サイクル量、入力データレート、出力データレート、メモリリソース、データバス速度、及び他の設計又は実行制約などの、任意の数のファクタに従って変わり得る。
【００８９】
コンピューティングプラットフォーム８３０は、さらに、他のプラットフォームコンポーネント８５０を含むことができる。他のプラットフォームコンポーネント８５０には、１又は複数のプロセッサ、マルチコアプロセッサ、コプロセッサ、メモリユニット、チップセット、コントローラ、周辺装置、インタフェース、発振器、タイミングデバイス、ビデオカード、オーディオカード、マルチメディアカード入力／出力（I/O）コンポーネント（例えば、デジタルディスプレイ）、電源供給などの、共通のコンピューティング要素を含む。メモリユニットの例には、読取専用メモリ（ROM）、ランダムアクセスメモリ（RAM）、ダイナミックRAM（DRAM）、ダブルデータレートDRAM（DDRAM）、同期型DRAM（SDRAM）、スタティックRAM（SRAM）、プログラマブルROM（PROM）、消去可能プログラマブルROM（EPROM）、電気的消去可能プログラマブルROM（EEPROM）、フラッシュメモリ、強誘電性ポリマーメモリなどのポリマーメモリ、オボニック（ovonic）メモリ、相変化又は強誘電性メモリ、シリコン‐酸化膜‐窒化膜‐酸化膜‐シリコン（silicon-oxide-nitride-oxide-silicon；SONOS）メモリ、磁気又は光学カード、独立ディスク冗長アレイ（RAID）ドライブなどのデバイスのアレイ、ソリッドステートメモリデバイス（例えば、USBメモリ、ソリッドステートドライブ（SSD））、及び情報を記憶することに適した任意の他の種類の記憶媒体などの、種々の種類のコンピュータ読取可能及びマシン読取可能記憶媒体を１又は複数のより高速なメモリユニットの形態で限定無しに含むことができる。
【００９０】
機器８００は、例えば、ウルトラモバイル機器、モバイル機器、固定的な機器、マシンツーマシン（M2M）機器、パーソナルデジタルアシスタント（PDA）、モバイルコンピューティング機器、スマートフォン、電話機、デジタル電話機、セルラー電話、ユーザ装備、電子書籍リーダ、ハンドセット、単方向ポケットベル、双方向ポケットベル、メッセージング機器、コンピュータ、パーソナルコンピュータ（PC）、デスクトップコンピュータ、ラップトップコンピュータ、ノートブックコンピュータ、ネットブックコンピュータ、ハンドヘルドコンピュータ、タブレットコンピュータ、サーバ、サーバアレイ若しくはサーバファーム、ウェブサーバ、ネットワークサーバ、インターネットサーバ、ワークステーション、ミニコンピュータ、メインフレームコンピュータ、スーパーコンピュータ、ネットワーク電気器具、ウェブ電気器具、分散型コンピューティングシステム、マルチプロセッサシステム、プロセッサベースのシステム、家庭用電化製品、プログラマブル家庭用電化製品、ゲーム機器、テレビ、デジタルテレビ、セットトップボックス、ワイヤレスアクセスポイント、基地局、ノードB、加入者局、モバイル加入者センタ、無線ネットワークコントローラ、ルータ、ハブ、ゲートウェイ、ブリッジ、スイッチ、マシン、又はこれらの組み合わせとすることができる。したがって、本明細書に説明される機器８００の機能及び／又は具体的な構成は、適宜所望されるとおり、機器８００の種々の実施形態において、含まれ、あるいは省略されることができる。いくつかの実施形態において、機器８００は、WMAN及び／又は本明細書に挙げられる他のブロードバンドワイヤレスネットワークのための3GPP  LTE仕様及び／又はIEEE802.16標準のうち１又は複数に関連するプロトコル又は周波数と互換性があるように構成されることができるが、実施形態はこの点に限定されない。
【００９１】
機器８００の実施形態は、単入力単出力（SISO）アーキテクチャを用いて実施することができる。しかしながら、或る実施形態が、ビーム形成若しくは空間分割多元接続（SDMA）のための適応的なアンテナ手法を用いた及び／又はMIMO通信手法を用いた送信及び／又は受取のための複数のアンテナ（例えば、アンテナ８１８−ｆ）を含むことができる。
【００９２】
機器８００のコンポーネント及び特徴は、ディスクリート回路、特定用途向け集積回路（ASIC）、ロジックゲート及び／又はシングルチップアーキテクチャの任意の組み合わせを用いて実施することができる。さらに、機器８００の特徴は、適宜妥当なところにマイクロコントローラ、プログラマブルロジックアレイ及び／若しくはマイクロプロセッサ又は前述の任意の組み合わせを用いて実施することができる。ハードウェア、ファームウエア及び／又はソフトウェア要素は本明細書において「ロジック」又は「回路」と集合的に又は個々に呼ばれ得ることに留意されたい。
【００９３】
図８のブロック図に示される例示的な機器８００は、多くのあり得る実装のうちの１つの機能的説明例を表し得るものであることを認識されたい。したがって、添付の図面に表されたブロック機能の分割、省略又は包含は、これらの機能を実施するためのハードウェアコンポーネント、回路、ソフトウェア及び／又は要素が実施形態において必ず分割され、省略され、あるいは包含されることを暗示するものではない。
【００９４】
図９は、ブロードバンドワイヤレスアクセスシステム９００の一実施形態を示す。図９に示されるとおり、ブロードバンドワイヤレスアクセスシステム９００は、インターネット９１０に対するモバイルワイヤレスアクセス及び／又は固定的なワイヤレスアクセスをサポートする能力があるインターネット９１０型ネットワーク又は同様のものを含むインターネットプロトコル（IP）型ネットワークとすることができる。１又は複数の実施形態において、ブロードバンドワイヤレスアクセスシステム９００には、3GPP  LTE仕様及び／又はIEEE802.16標準のうち１又は複数に準拠するシステムなどの、任意の種類の直交周波数分割多重アクセス（OFDMA）ベースのワイヤレスネットワークを含むことができ、クレームされる主題の範囲はこれらの点に限定されない。
【００９５】
例示的なブロードバンドワイヤレスアクセスシステム９００において、アクセスサービスネットワーク（ASN）９１２、９１８が、それぞれ、基地局（BS）９１４、９２０（又は、eNodeB）と結合する能力があって、１又は複数の固定的な機器９１６とインターネット９１０との間の、あるいは１又は複数のモバイル機器９２２とインターネット９１０との間のワイヤレス通信を提供する。M2M機器９１６と非M2M機器９２２との１つの例が機器８００であり、M2M機器９１６は機器８００のM2Mバージョンを含み、非M2M機器９２２は機器８００の非M2Mバージョンを含む。ASN９１２は、ブロードバンドワイヤレスアクセスシステム９００上の１又は複数の物理エンティティに対するネットワーク機能のマッピングを定義する能力があるプロファイルを実装することができる。基地局９１４、９２０（又は、eNodeB）は、機器８００を参照して説明されたものなどのM2M機器９１６及び非M2M機器９２２とのRF通信を提供するように無線装備を含むことができ、例えば、3GPP  LTE仕様又はIEEE802.16標準に準拠するPHY及びMACレイヤ装備を含むことができる。さらに、基地局９１４、９２０（又は、eNodeB）は、それぞれ、ASN９１２、９１８を介してインターネット９１０に結合するようにIPバックプレーンを含むことができるが、クレームされる主題の範囲はこれらの点に限定されない。
【００９６】
ブロードバンドワイヤレスアクセスシステム９００は、さらに、１又は複数のネットワーク機能を提供する能力がある訪問型接続性サービスネットワークCSN（９２４）を含むことができ、この１又は複数のネットワーク機能には、これらに限定されないが、例えば認証、承認及びアカウンティング（AAA）機能、動的ホスト構成プロトコル（DHCP）機能若しくはドメインネームサービス制御などといったプロキシ及び／若しくはリレータイプの機能、公衆交換電話網（PSTN）ゲートウェイ若しくはボイスオーバーインターネットプロトコル（VoIP）ゲートウェイなどのドメインゲートウェイ、並びに／又はインターネットプロトコル（IP）タイプのサーバ機能などを含むことができる。しかしながら、これらは単に、訪問型CSN９２４又はホームCSN９２６により提供されることができる機能の種類の例に過ぎず、クレームされる主題の範囲はこれらの点に限定されない。訪問型CSN９２４が訪問型CSNと呼ばれることがあるのは、訪問型CSN９２４がM2M機器９１６又は非M2M機器９２２の通常のサービスプロバイダの一部でない場合、例えば、M2M機器９１６又は非M2M機器９２２がこれらのそれぞれのホームCSN９２６から離れてローミングしている場合、あるいは、ブロードバンドワイヤレスアクセスシステム９００はM2M機器９１６又は非M2M機器９２２の通常のサービスプロバイダの一部であるが、ブロードバンドワイヤレスアクセスシステム９００がM2M機器９１６又は非M2M機器９２２のメインの又はホームの位置でない別の位置又は状態にあり得る場合である。
【００９７】
１つの実施形態において、M2M機器９１６は、家庭又は企業の中又はその近くなどの、１又は双方の基地局９１４、９２０の範囲内のいずれかの場所に位置する固定的な機器であって、基地局９１４、９２０及びASN９１２、９１８それぞれとホームCSN９２６とを介してインターネット９１０に対する家庭又は企業の顧客のブロードバンドアクセスを提供することができる。M2M機器９１６は概して固定された位置に設置されるが、必要に応じて種々の位置に移動できることに留意されたい。非M2M機器９２２は、例えば、非M2M機器９２２が１又は双方の基地局９１４、９２０の範囲内にある場合、１又は複数の位置において利用することができる。
【００９８】
１又は複数の実施形態に従い、オペレーションサポートシステム（OSS）９２８が、ブロードバンドワイヤレスアクセスシステム９００の一部であって、ブローバンドワイヤレスアクセスシステム９００のための管理機能を提供し、ブロードバンドワイヤレスアクセスシステム９００の機能的エンティティ間のインタフェースを提供することができる。図９のブロードバンドワイヤレスアクセスシステム９００は単に、ブロードバンドワイヤレスアクセスシステム９００のうち一定数のコンポーネントを示すワイヤレスネットワークの１種類に過ぎず、クレームされる主題の範囲はこれらの点に限定されない。
【００９９】
いくつかの実施形態が、「１つの実施形態」又は「一実施形態」といった表現とその派生物とを用いて説明されている。これらの用語は、その実施形態と関連して説明される特定の特徴、構造又は特性が少なくとも１つの実施形態に含まれることを意味する。本明細書の種々の箇所における「１つの実施形態において」というフレーズの出現は、必ずしもすべて同一の実施形態を参照するものではない。
【０１００】
さらに、下記の説明及び／又は請求項において、結合される及び／又は接続されるといった用語とその派生物とが使用されることがある。特定の実施形態において、接続されるは複数の要素が互いに直接の物理的な及び／又は電気的な接触を有することを示すために使用されることがある。結合されるは、複数の要素が直接の物理的な及び／又は電気的な接触を有することを意味することがある。しかしながら、結合されるは、複数の要素が互いに直接の接触を有しなくてよく、しかしなお互いに協働及び／又は対話することができることを意味することがある。例えば、「結合される」は、複数の要素が互いに接触せず、しかし別の要素又は中間要素を介して一緒に間接的に結び付られることを意味することがある。
【０１０１】
さらに、「及び／又は」という用語は、「及び」を意味することがあり、「又は」を意味することがあり、「排他的な又は」を意味することがあり、「１つ」を意味することがあり、「すべてではないがいくつか」を意味することがあり、「どちらでもない」を意味することがあり、かつ／あるいは「双方」を意味することがあるが、クレームされる主題の範囲はこの点に限定されない。下記の説明及び／又は請求項において、「含む」及び「含める」といった用語とこれらの派生物とが使用されることがあり、これらは互いに同義であることが意図される。
【０１０２】
本開示の要約書は、読み手が本技術的開示の本質を迅速に確かめることを可能にするために提供されることが、強調される。要約書は、これ自体が請求項の範囲又は意味を解釈し、あるいは限定するために使用されるものではないとの理解と共に、提示される。加えて、前述の詳細な説明において、開示を効率化することを目的として、種々の機能が単一の実施形態の中に一緒にグループ化されていることが分かる。この開示方法は、クレームされた実施形態が、各請求項に明確に挙げられた特徴より多くの特徴を必要とするという意図を反映するものと解釈されるべきではない。むしろ、下記の請求項が評価されるとき、発明の主題は、単一の開示された実施形態のすべての特徴より少ない特徴の中にある。したがって、下記の請求項はこれによって詳細な説明に組み込まれ、各クレームはそれ自体を別個の実施形態として主張している。添付された請求項において、「含める」及び「ここで（in  which）」といった用語は、それぞれ、「含む」及び「ここで（wherein）」といったそれぞれの用語についての分かりやすい英語の均等物として使用される。その上、「第１の」、「第２の」、「第３の」などの用語は、単にラベルとして使用され、これらの物に数的な要件を課すものではない。
【０１０３】
上記で説明されたものには、開示されたアーキテクチャの例を含む。当然ながら、コンポーネント及び／又は方法論のあらゆる想定される組み合わせを説明することは不可能であり、しかし、当業者は、多くのさらなる組み合わせ及び並べ替えが可能であることを認識し得る。したがって、新規のアーキテクチャは、添付された請求項の範囲内に入るすべての上記のような変形、変更及びバリエーションを包含することが意図される。
【図１】
2015516723.tif 000003
【図２】
2015516723.tif 000004
【図３】
2015516723.tif 000005
【図４】
2015516723.tif 000006
【図５】
2015516723.tif 000007
【図６Ａ】
2015516723.tif 000008
【図６Ｂ】
2015516723.tif 000009
【図７】
2015516723.tif 000010
【図８】
2015516723.tif 000011
【図９】
2015516723.tif 000012
【国際調査報告】
2015516723.tif 000013
2015516723.tif 000014